(57)【要約】【課題】輝度が暗い被写体の場合、フラッシュ撮影時に背景の露光をも適正にすることの可能なカメラを提供することである。【解決手段】このカメラは、角速度検出回路５５で手振れが検出され、測光回路５１内の多分割測光センサで被写界が複数の領域に分割されて測定される。そして、Ｂμｃｏｍ５０にて、所定時間内に於ける上記手振れと上記被写界輝度の変化が判定され、その結果に応じて露光時のシャッタ秒時が決定される。【選択図】      図１
2006126479.tif 000002
【特許請求の範囲】
【請求項１】
手振れを検出する手振れ検出手段と、
被写界を複数の領域に分割して測定する多分割測光手段と、
所定時間内に於ける上記手振れと上記被写界輝度の変化を判定し、その結果に応じて露光時のシャッタ秒時を決定する決定手段と、
を具備することを特徴とするカメラ。
【請求項２】
上記決定手段は、上記多分割測光手段の全測光領域のうち、上記所定時間内に所定の判定レベル以上の変化を示す領域の割合に応じて、上記被写界輝度の変化を判定することを特徴とする請求項１に記載のカメラ。
【請求項３】
上記決定手段は、上記所定時間内に於ける上記手振れ量が所定の手振れ判定値未満であるか否か、及び上記多分割測光手段の全測光領域のうち、上記所定時間内に判定レベル以上の変化を示す領域の割合が所定の割合判定値未満であるか否かに応じて、上記シャッタ秒時を決定することを特徴とする請求項１に記載のカメラ。
【請求項４】
上記決定手段は、上記所定時間内に於ける上記手振れ量が所定の手振れ判定値未満であり、且つ、上記多分割測光手段の全測光領域のうち、上記所定時間内に判定レベル以上の変化を示す領域の割合が所定の割合判定値未満である場合に、上記シャッタ秒時を手振れ秒時よりも長いシャッタ秒時に決定することを特徴とする請求項１に記載のカメラ。
【請求項５】
手振れを検出する手振れ検出手段と、
被写界の輝度を測定する測光手段と、
所定時間内に於ける上記手振れと上記被写界輝度の変化を判定し、その結果に応じて露光時のシャッタ秒時を決定する決定手段と、
を具備することを特徴とするカメラ。
【請求項６】
手振れを検出する手振れ検出手段と、
被写界を複数の領域に分割して測定する多分割測光手段と、
所定時間内に於ける上記手振れと上記被写界輝度の変化を判定し、その結果に応じて露光モードを決定する決定手段と、
を具備することを特徴とするカメラ。
【請求項７】
上記露光モードは夜景撮影に適したモードであることを特徴とする請求項６に記載のカメラ。
【請求項８】
被写界を複数の領域に分割して測定する多分割測光手段と、
主要被写体と背景とを判定する判定手段と、
上記測光手段の全領域の出力を以前の出力と比較した際に所定の判定レベル以上の変化を示す領域の上記判定手段で判定された背景に対する割合を判定し、その結果に応じて露光時のシャッタ秒時を決定する決定手段と、
を具備することを特徴とするカメラ。
【請求項９】
被写界を複数の領域に分割して測定する多分割測光手段と、
主要被写体と背景とを判定する判定手段と、
上記測光手段の全領域の出力を前回の出力と比較した際に所定の判定レベル以上の変化を示す領域の上記判定手段で判定された背景に対する割合を判定し、その結果に応じて露光モードを決定する決定手段と、
を具備することを特徴とするカメラ。
【請求項１０】
上記判定手段は、被写界を複数に分割して測距する測距手段を含み、その測距結果に応じて上記主要被写体と背景を判定することを特徴とする請求項８若しくは９に記載のカメラ。
【請求項１１】
上記露光モードは夜景撮影に適したモードであることを特徴とする請求項９に記載のカメラ。
【請求項１２】
上記判定手段は、撮影に先立って被写界に閃光発光を行う発光手段を含み、該発光手段による上記被写界からの反射光が全画素平均よりも多い画素を被写体と判定することを特徴とする請求項８若しくは９に記載のカメラ。
【請求項１３】
被写界を複数の領域に分割して測定する多分割測光手段と、
所定時間内に於ける上記手振れと上記被写界輝度の変化を判定し、その結果に応じて露光モードを決定する決定手段と、
を具備することを特徴とするカメラ。
【請求項１４】
上記手振れ検出手段は、角速度センサ若しくは加速度センサで構成されることを特徴とする請求項１に記載のカメラ。
【請求項１５】
上記判定手段は、多点測距に於いて測距点が一番近いものを被写体と判定することを特徴とする請求項１０に記載のカメラ。
【請求項１６】
上記判定手段は、撮影に先立ちフラッシュを発光させて、その反射光を最も多く受光した画素を被写体とすることを特徴とする請求項１に記載のカメラ。
【請求項１７】
手振れを検出する手振れ検出手段と、
被写界を複数の領域に分割して測定する多分割測光手段と、
所定時間内に於ける上記手振れと上記被写界輝度の変化を比較する比較手段と、
上記比較手段の比較結果に応じて露光時のシャッタ秒時を決定する決定手段と、
を具備することを特徴とするカメラ。
【請求項１８】
上記決定手段は、上記多分割測光手段の全測光領域のうち、上記所定時間内に判定レベル以上の変化を示す領域の割合に応じて、上記被写界輝度の変化を判定する判定手段を含むことを特徴とする請求項１７に記載のカメラ。
【請求項１９】
上記決定手段は、上記所定時間内に於ける上記手振れ量が所定の手振れ判定値未満であるか否か、及び上記多分割測光手段の全測光領域のうち、上記所定時間内に判定レベル以上の変化を示す領域の割合が所定の割合判定値未満であるか否かに応じて、上記シャッタ秒時を決定することを特徴とする請求項１７に記載のカメラ。
【請求項２０】
上記決定手段は、上記所定時間内に於ける上記手振れ量が手振れ判定値未満であり、且つ、上記多分割測光手段の全測光領域のうち、上記所定時間内に判定レベル以上の変化を示す領域の割合が割合判定値未満である場合に、手振れ秒時よりも長いシャッタ秒時を決定することを特徴とする請求項１７に記載のカメラ。
【請求項２１】
上記手振れ検出手段は、角速度センサ若しくは加速度センサで構成されることを特徴とする請求項１７に記載のカメラ。
【請求項２２】
被写界を複数の領域に分割して測定する多分割測光手段と、
被写界を複数に分割して測距する測距手段と、
上記測距手段の測距結果に応じて主要被写体と背景を判定する判定手段と、
上記測光手段の全領域の出力を前回の出力と比較した際に所定の判定レベル以上の変化を示す領域の上記判定手段で判定された背景に対する割合を判定し、その結果に応じて露光時のシャッタ秒時を決定する決定手段と、
を具備することを特徴とするカメラ。
【請求項２３】
被写界を複数の領域に分割して測定する多分割測光手段と、
被写界を複数に分割して測距する測距手段と、
上記測距手段の測距結果に応じて主要被写体と背景とを判定する判定手段と、
上記測光手段の全領域の出力を前回の出力と比較した際に所定の判定レベル以上の変化を示す領域の上記判定手段で判定された背景に対する割合を判定し、その結果に応じて露光モードを決定する決定手段と、
を具備することを特徴とするカメラ。
【請求項２４】
上記露光モードは夜景撮影に適したモードであることを特徴とする請求項２３に記載のカメラ。
【請求項２５】
撮影に先立って被写界に閃光発光を行う発光手段を更に具備し、
上記判定手段は、上記発光手段による上記被写界からの反射光が全画素平均よりも多い画素を被写体と判定することを特徴とする請求項２２に記載のカメラ。
【請求項２６】
撮影に先立って被写界に閃光発光を行う発光手段を更に具備し、
上記判定手段は、上記発光手段による上記被写界からの反射光が全画素平均よりも多い画素を被写体と判定することを特徴とする請求項２３に記載のカメラ。
【請求項２７】
上記判定手段は、多点測距に於いて測距点が最至近のものを被写体と判定することを特徴とする請求項２２に記載のカメラ。
【請求項２８】
上記判定手段は、多点測距に於いて測距点が最至近のものを被写体と判定することを特徴とする請求項２３に記載のカメラ。
【請求項２９】
上記判定手段は、撮影に先立ち上記発光手段によるフラッシュを発光させて、その反射光を最も多く受光した画素を被写体とすることを特徴とする請求項２５若しくは２６に記載のカメラ。
【発明の詳細な説明】
【技術分野】
【０００１】
本発明は、夜景モードを切り替え制御可能なカメラに関し、より詳細には、輝度が暗い被写体の場合に背景を適正露光で撮影するカメラに関するものである。
【背景技術】
【０００２】
輝度が暗い背景に於いて、フラッシュ撮影時に手振れを起こさないシャッタ秒時で撮影を行うと、被写体は適正になるが、フラッシュの届かない背景は暗くなってしまうことがある。
【０００３】
背景も適正に写す方法として、三脚にカメラを固定した状態で撮影を行うことを想定した夜景モードという方法が提案されている。これは、ユーザがカメラを三脚に固定した後、カメラの操作部材により夜景モードに設定すると、シャッタ秒時を長くして、暗い背景を適正に写すというものである。しかし、ユーザがモード設定を行わなければならないという煩わしさがある。
【０００４】
そこで、三脚に固定されていることをスイッチ部材で検知して夜景モードに切り替える技術が提案されている（例えば、特許文献１参照）。
【特許文献１】特開平５−５３１６８号公報
【発明の開示】
【発明が解決しようとする課題】
【０００５】
しかしながら、上記特許文献１に記載の技術では、固定検出をスイッチで構成すると、部品点数が増加するという課題を有している。また、乗り物等、移動物や振動するものに固定されている場合、若しくは背景が移動している場合に、自動で夜景モードに入ると、背景がブレることになるので、ユーザが望んでいない状況で夜景モードになるという課題を残すことになる。
【０００６】
したがって、本発明は上記実情に鑑みてなされたものであり、輝度が暗い被写体の場合、フラッシュ撮影時に背景の露光をも適正にすることの可能なカメラを提供することを目的とする。
【課題を解決するための手段】
【０００７】
すなわち、請求項１に記載の発明は、手振れを検出する手振れ検出手段と、被写界を複数の領域に分割して測定する多分割測光手段と、所定時間内に於ける上記手振れと上記被写界輝度の変化を判定し、その結果に応じて露光時のシャッタ秒時を決定する決定手段と、を具備することを特徴とする。
【０００８】
請求項２に記載の発明は、請求項１に記載の発明に於いて、上記決定手段は、上記多分割測光手段の全測光領域のうち、上記所定時間内に所定の判定レベル以上の変化を示す領域の割合に応じて、上記被写界輝度の変化を判定することを特徴とする。
【０００９】
請求項３に記載の発明は、請求項１に記載の発明に於いて、上記決定手段は、上記所定時間内に於ける上記手振れ量が所定の手振れ判定値未満であるか否か、及び上記多分割測光手段の全測光領域のうち、上記所定時間内に判定レベル以上の変化を示す領域の割合が所定の割合判定値未満であるか否かに応じて、上記シャッタ秒時を決定することを特徴とする。
【００１０】
請求項４に記載の発明は、請求項１に記載の発明に於いて、上記決定手段は、上記所定時間内に於ける上記手振れ量が所定の手振れ判定値未満であり、且つ、上記多分割測光手段の全測光領域のうち、上記所定時間内に判定レベル以上の変化を示す領域の割合が所定の割合判定値未満である場合に、上記シャッタ秒時を手振れ秒時よりも長いシャッタ秒時に決定することを特徴とする。
【００１１】
請求項５に記載の発明は、手振れを検出する手振れ検出手段と、被写界の輝度を測定する測光手段と、所定時間内に於ける上記手振れと上記被写界輝度の変化を判定し、その結果に応じて露光時のシャッタ秒時を決定する決定手段と、を具備することを特徴とする。
【００１２】
請求項６に記載の発明は、手振れを検出する手振れ検出手段と、被写界を複数の領域に分割して測定する多分割測光手段と、所定時間内に於ける上記手振れと上記被写界輝度の変化を判定し、その結果に応じて露光モードを決定する決定手段と、を具備することを特徴とする。
【００１３】
請求項７に記載の発明は、請求項６に記載の発明に於いて、上記露光モードは夜景撮影に適したモードであることを特徴とする。
【００１４】
請求項８に記載の発明は、被写界を複数の領域に分割して測定する多分割測光手段と、主要被写体と背景とを判定する判定手段と、上記測光手段の全領域の出力を以前の出力と比較した際に所定の判定レベル以上の変化を示す領域の上記判定手段で判定された背景に対する割合を判定し、その結果に応じて露光時のシャッタ秒時を決定する決定手段と、を具備することを特徴とする。
【００１５】
請求項９に記載の発明は、被写界を複数の領域に分割して測定する多分割測光手段と、主要被写体と背景とを判定する判定手段と、上記測光手段の全領域の出力を前回の出力と比較した際に所定の判定レベル以上の変化を示す領域の上記判定手段で判定された背景に対する割合を判定し、その結果に応じて露光モードを決定する決定手段と、を具備することを特徴とする。
【００１６】
請求項１０に記載の発明は、請求項８若しくは９に記載の発明に於いて、上記判定手段は、被写界を複数に分割して測距する測距手段を含み、その測距結果に応じて上記主要被写体と背景を判定することを特徴とする。
【００１７】
請求項１１に記載の発明は、請求項９に記載の発明に於いて、上記露光モードは夜景撮影に適したモードであることを特徴とする。
【００１８】
請求項１２に記載の発明は、請求項８若しくは９に記載の発明に於いて、上記判定手段は、撮影に先立って被写界に閃光発光を行う発光手段を含み、該発光手段による上記被写界からの反射光が全画素平均よりも多い画素を被写体と判定することを特徴とする。
【００１９】
請求項１３に記載の発明は、被写界を複数の領域に分割して測定する多分割測光手段と、所定時間内に於ける上記手振れと上記被写界輝度の変化を判定し、その結果に応じて露光モードを決定する決定手段と、を具備することを特徴とする。
【００２０】
請求項１４に記載の発明は、請求項１に記載の発明に於いて、上記手振れ検出手段は、角速度センサ若しくは加速度センサで構成されることを特徴とする。
【００２１】
請求項１５に記載の発明は、請求項１０に記載の発明に於いて、上記判定手段は、多点測距に於いて測距点が一番近いものを被写体と判定することを特徴とする。
【００２２】
請求項１６に記載の発明は、請求項１に記載の発明に於いて、上記判定手段は、撮影に先立ちフラッシュを発光させて、その反射光を最も多く受光した画素を被写体とすることを特徴とする。
【００２３】
請求項１７に記載の発明は、手振れを検出する手振れ検出手段と、被写界を複数の領域に分割して測定する多分割測光手段と、所定時間内に於ける上記手振れと上記被写界輝度の変化を比較する比較手段と、上記比較手段の比較結果に応じて露光時のシャッタ秒時を決定する決定手段と、を具備することを特徴とする。
【００２４】
請求項１８に記載の発明は、請求項１７に記載の発明に於いて、上記決定手段は、上記多分割測光手段の全測光領域のうち、上記所定時間内に判定レベル以上の変化を示す領域の割合に応じて、上記被写界輝度の変化を判定する判定手段を含むことを特徴とする。
【００２５】
請求項１９に記載の発明は、請求項１７に記載の発明に於いて、上記決定手段は、上記所定時間内に於ける上記手振れ量が所定の手振れ判定値未満であるか否か、及び上記多分割測光手段の全測光領域のうち、上記所定時間内に判定レベル以上の変化を示す領域の割合が所定の割合判定値未満であるか否かに応じて、上記シャッタ秒時を決定することを特徴とする。
【００２６】
請求項２０に記載の発明は、請求項１７に記載の発明に於いて、上記決定手段は、上記所定時間内に於ける上記手振れ量が手振れ判定値未満であり、且つ、上記多分割測光手段の全測光領域のうち、上記所定時間内に判定レベル以上の変化を示す領域の割合が割合判定値未満である場合に、手振れ秒時よりも長いシャッタ秒時を決定することを特徴とする。
【００２７】
請求項２１に記載の発明は、請求項１７に記載の発明に於いて、上記手振れ検出手段は、角速度センサ若しくは加速度センサで構成されることを特徴とする。
【００２８】
請求項２２に記載の発明は、被写界を複数の領域に分割して測定する多分割測光手段と、被写界を複数に分割して測距する測距手段と、上記測距手段の測距結果に応じて主要被写体と背景を判定する判定手段と、上記測光手段の全領域の出力を前回の出力と比較した際に所定の判定レベル以上の変化を示す領域の上記判定手段で判定された背景に対する割合を判定し、その結果に応じて露光時のシャッタ秒時を決定する決定手段と、を具備することを特徴とする。
【００２９】
請求項２３に記載の発明は、被写界を複数の領域に分割して測定する多分割測光手段と、被写界を複数に分割して測距する測距手段と、上記測距手段の測距結果に応じて主要被写体と背景とを判定する判定手段と、上記測光手段の全領域の出力を前回の出力と比較した際に所定の判定レベル以上の変化を示す領域の上記判定手段で判定された背景に対する割合を判定し、その結果に応じて露光モードを決定する決定手段と、を具備することを特徴とする。
【００３０】
請求項２４に記載の発明は、請求項２３に記載の発明に於いて、上記露光モードは夜景撮影に適したモードであることを特徴とする。
【００３１】
請求項２５に記載の発明は、請求項２２に記載の発明に於いて、撮影に先立って被写界に閃光発光を行う発光手段を更に具備し、上記判定手段は、上記発光手段による上記被写界からの反射光が全画素平均よりも多い画素を被写体と判定することを特徴とする。
【００３２】
請求項２６に記載の発明は、請求項２３に記載の発明に於いて、撮影に先立って被写界に閃光発光を行う発光手段を更に具備し、上記判定手段は、上記発光手段による上記被写界からの反射光が全画素平均よりも多い画素を被写体と判定することを特徴とする。
【００３３】
請求項２７に記載の発明は、請求項２２に記載の発明に於いて、上記判定手段は、多点測距に於いて測距点が最至近のものを被写体と判定することを特徴とする。
【００３４】
請求項２８に記載の発明は、請求項２３に記載の発明に於いて、上記判定手段は、多点測距に於いて測距点が最至近のものを被写体と判定することを特徴とする。
【００３５】
請求項２９に記載の発明は、請求項２５若しくは２６に記載の発明に於いて、上記判定手段は、撮影に先立ち上記発光手段によるフラッシュを発光させて、その反射光を最も多く受光した画素を被写体とすることを特徴とする。
【発明の効果】
【００３６】
本発明によれば、輝度が暗い被写体の場合、フラッシュ撮影時に背景の露光をも適正にすることの可能なカメラを提供することができる。
【発明を実施するための最良の形態】
【００３７】
以下、図面を参照して、本発明の実施形態を説明する。
【００３８】
（第１の実施形態）
図１は、本発明の第１の実施形態に係るデジタル一眼レフカメラの電気系のシステム構成を示すブロック図である。
【００３９】
図１に於いて、このカメラシステムは、ボディユニット１０と、アクセサリ装置として、例えば交換可能なレンズユニット（すなわちレンズ鏡筒）１１と、通信コネクタ１６を介して撮影した画像データを記録しておく記録メディア１２と、フラッシュ用通信コネクタ１７を介して外付けのフラッシュユニット１３とを有して構成されている。
【００４０】
上記レンズユニット１１は、上記ボディユニット１０の前面に設けられた、図示されないレンズマウントを介して着脱自在に装着可能である。そして、上記レンズユニット１１は、撮影レンズ２１ａ及び２１ｂと、絞り２２と、レンズ駆動機構２３と、絞り駆動機構２４と、レンズ制御用マイクロコンピュータ（以下、Ｌμｃｏｍと略記する）２５とから構成されている。
【００４１】
上記撮影レンズ２１ａ及び２１ｂは、レンズ駆動機構２３内に存在する図示されないＤＣモータによって、光軸方向に駆動される。絞り２２は、絞り駆動機構２４内に存在する図示されないステッピングモータによって駆動される。また、Ｌμｃｏｍ２５は、上記レンズ駆動機構２３や絞り駆動機構２４等、レンズユニット１１内の各部を駆動制御する。このＬμｃｏｍ２５は、通信コネクタ１５を介して、後述するボディ制御用マイクロコンピュータ５０と電気的に接続がなされ、該ボディ制御用マイクロコンピュータ５０の指令に従って制御される。
【００４２】
一方、ボディユニット１０は、以下のように構成されている。
【００４３】
レンズユニット１１内の撮影レンズ２１ａ及び２１ｂ、絞り２２を介して入射される図示されない被写体からの光束は、クイックリターンミラー３０で反射されて、フォーカシングスクリーン３１、ペンタプリズム３２を介して接眼レンズ３３に至る。
【００４４】
上記クイックリターンミラー３０の中央部はハーフミラーになっており、該クイックリターンミラー３０がダウン（図示の位置）した際に一部の光束が透過する。そして、この透過した光束は、クイックリターンミラー３０に設置されたサブミラー３５で反射され、自動測距を行うための測距手段であるＡＦセンサユニット３６に導かれる。尚、上記クイックリターンミラー３０のアップ時には、サブミラー３５は折り畳まれるようになっている。
【００４５】
上記クイックリターンミラー３０の後方には、光軸上のフォーカルプレーン式のシャッタユニット４１と、光学系を通過した被写体像を光電変換するための撮像素子（ＣＣＤ）４３を収容した撮像ユニット４２とを備えた撮像モジュール４０が設けられている。図示されないが、クイックリターンミラー３０が光路より退避した場合、撮影レンズ２１ａ及び２１ｂを通った光束は、撮像モジュール４０内の撮像素子４３に結像される。
【００４６】
このボディユニット１０は、また、上記撮像モジュール４０内の撮像素子４３に接続された撮像素子インターフェイス回路４５と、記憶領域として設けられたＳＤＲＡＭ４７と、液晶モニタ４８及び上記通信コネクタ１６を介して記録メディア１２とが、画像処理を行うための画像処理コントローラ４６に接続されている。これらは、電子撮像機能と共に電子記録表示機能を提供できるように構成されている。
【００４７】
上記記録メディア１２は、各種のメモリカードや外付けのハードディスクドライブ（ＨＤＤ）等の外部記録媒体であり、通信コネクタ１６を介してカメラのボディユニット１０と通信可能、且つ交換可能に装着される。
【００４８】
上記画像処理コントローラ４６は、このボディユニット１０内の各部を制御するためのボディ制御用マイクロコンピュータ（以下、Ｂμｃｏｍと略記する）５０に接続されている。このＢμｃｏｍ５０は、後述する輝度変化を判定する際の時間を計測するための図示されないタイマを有しているもので、カメラの全体の動作を制御する制御手段の他、比較手段、決定手段、判定手段、演算手段等の機能を有している。
【００４９】
そして、Ｂμｃｏｍ５０には、上記画像処理コントローラ４６の他、通信コネクタ１５と、測光回路５１と、ミラー駆動機構５２と、ＡＦセンサ駆動回路５３と、シャッタ駆動制御回路５４と、角速度検出回路５５と、不揮発性メモリ（ＥＥＰＲＯＭ）５７等とが接続されている。更に、Ｂμｃｏｍ５０には、当該カメラの動作状態を表示出力によって撮影者へ告知するための動作表示用ＬＣＤ５８と、カメラ操作スイッチ（ＳＷ）５９と、電源回路６０を介して電池６１とが接続されている。
【００５０】
尚、上記Ｂμｃｏｍ５０とＬμｃｏｍ２５とは、レンズユニット１１の装着時に於いて、通信コネクタ１５を介して通信可能に電気的接続がなされる。そして、デジタルカメラとしてＬμｃｏｍ２５がＢμｃｏｍ５０に従属的に協働しながら稼動するようになっている。
【００５１】
上記測光回路（測光手段）５１は、上記ペンタプリズム３２からの光束に基づいて測光処理する回路である。この測光回路５１内に、被写界を複数に分割して被写体輝度を測定する多分割測光手段としての多分割測光センサ（多分割ＡＥセンサ）を有している。上記ミラー駆動機構５２はクイックリターンミラー３０を駆動制御する機構であり、ＡＦセンサ駆動回路５３は上記ＡＦセンサユニット３６を駆動制御するための回路である。
【００５２】
また、シャッタ駆動制御回路５４は、上記シャッタユニット４１の図示されない先幕と後幕の動きを制御すると共に、Ｂμｃｏｍ５０との間でシャッタの開閉動作を制御する信号とフラッシュと同調する信号の授受を行う。そして、シャッタ駆動制御回路５４から、所定のタイミングでフラッシュ用通信コネクタ１７を介してフラッシュユニット１３に、フラッシュを発光させるための発光信号が出力される。
【００５３】
不揮発性メモリ５７は、その他の記憶領域として、カメラ制御に必要な所定の制御パラメータを記憶する記憶手段であり、Ｂμｃｏｍ５０からアクセス可能に設けられている。
【００５４】
動作表示用ＬＣＤ５８は、当該カメラの動作状態を表示出力によって撮影者へ告知するためのものである。上記カメラ操作スイッチ５９は、例えば撮影動作の実行を指示するレリーズスイッチ、撮影モードを連写モード、通常撮影モード等に切り替えるモード変更スイッチ及びパワースイッチ等、当該カメラを操作するために必要な操作釦（撮影操作手段）を含むスイッチ群で構成される。
【００５５】
更に、電源回路６０は、電源としての電池６１の電圧ＶE を、当該カメラシステムの各回路ユニットが必要とする電圧ＶC に変換して供給するために設けられている。
【００５６】
発光手段であるフラッシュユニット１３は、フラッシュ制御用マイクロコンピュータ６５と、閃光発光部６６と、発光制御回路６７及び電池６８とから成っている。そして、このフラッシュユニット１３は、フラッシュ用通信コネクタ１７を介して、ボディユニット１０と通信可能に装着可能である。これらの発光信号は、発光モードに応じて出力される。
【００５７】
このように構成されたデジタルカメラの各部は、次のように稼動する。
【００５８】
先ず、画像処理コントローラ４６により、Ｂμｃｏｍ５０の指令に従って撮像素子インターフェイス回路４５が制御されて、撮像モジュール４０から画像データが取り込まれる。この画像データは、一時保管用メモリであるＳＤＲＡＭ４７に取り込まれる。このＳＤＲＡＭ４７は、画像データが変換される際のワークエリア等に使用される。また、この画像データは、ＪＰＥＧデータに変換された後には、記録メディア１２に保管されるように設定されている。
【００５９】
ミラー駆動機構５２は、上述したように、クイックリターンミラー３０をアップ（ＵＰ）位置とダウン（ＤＯＷＮ）位置へ駆動するための機構である。ミラー駆動機構５２によってクイックリターンミラー３０がダウン位置にある時、撮影レンズ２１ａ及び２１ｂからの光束は、ＡＦセンサユニット３６側とペンタプリズム３２側へと分割されて導かれる。
【００６０】
ＡＦセンサユニット３６内のＡＦセンサからの出力は、ＡＦセンサ駆動回路５３を介してＢμｃｏｍ５０へ送信されて、周知の測距処理が行われる。
【００６１】
一方、ペンタプリズム３２に隣接する接眼レンズ３３からは、撮影者が被写体を目視できる。また、上記ペンタプリズム３２を通過した光束の一部は、測光回路５１内のホトセンサ（図示せず）へ導かれ、ここで検知された光量に基づいて周知の測光処理が行われる。
【００６２】
シャッタ駆動制御回路５４では、Ｂμｃｏｍ５０からシャッタを駆動制御するための信号が受取られると、その信号に基づいてシャッタユニット４１が制御される。シャッタ駆動制御回路５４では、Ｂμｃｏｍ５０からシャッタを駆動制御するための信号が受取られると、その信号に基づいてシャッタユニット４１が制御される。それと共に、所定のタイミングでフラッシュ用通信コネクタ１７を介してフラッシュ制御用マイクロコンピュータ６５及び発光制御回路６７に、フラッシュを発光させるための発光信号が出力される。Ｂμｃｏｍ５０からは、上記発光信号に基づいて、通信により発光モードに応じた発光指令信号が出力される。
【００６３】
また、撮影者によって上述したカメラ操作スイッチ５９の中のモード変更スイッチが操作されて、撮影モードから画像表示モードへ切り替えられると、記録メディア１２に保管された画像データが読み出されて、液晶モニタ４８に表示可能である。記録メディア１２から読み出された画像データは、画像処理コントローラ４６に於いてビデオ信号に変換され、液晶モニタ４８にて出力表示される。
【００６４】
図２は多分割ＡＥセンサと被写界との関係を示すもので、（ａ）は４８分割測光センサの例を示した図、（ｂ）は（ａ）の測光センサに対応させた被写界の画像の例を示した図である。
【００６５】
図２（ａ）に示されるように、この多分割ＡＥセンサは、４８分割（６行×８列）の例であり、４８画素のそれぞれに於いて明るさを測定するものである。ここに示される番号が画素番号とすると、この場合、図２（ｂ）に示される被写界には、画素番号１２、１３、１９〜２１、２７〜３０、３４〜３９、４２〜４７に主要被写体が、そして画素番号７、８、１５、１６に背景が存在している。
【００６６】
尚、本実施形態に於いては多分割ＡＥセンサの数を４８として説明するが、この数に限られないのは勿論であり、また、行×列の数もこれに限られるものではない。
【００６７】
図３は、上記測光回路５１内の測光センサの構成を示す回路図である。
【００６８】
測光回路５１は、フォトダイオードＰＤ1 ，ＰＤ2 ，…と、対数圧縮アンプ５１ａ1 ，５１ａ2 ，…と、スイッチＳＷ１，ＳＷ２，…と、電圧増幅回路５１ｂとを有して構成されている。ここで、フォトダイオードＰＤの１つが、多分割測光センサの１画素に相当する。したがって、図２の構成では、フォトダイオードが４８個存在している。
【００６９】
尚、対数圧縮アンプが用いられるのは、広い範囲の電流変化を狭い電圧範囲でＡ／Ｄ変換するためである。
【００７０】
電圧増幅回路５１ｂは、入力される電圧を増幅して出力するもので、  
Ｖout ＝Ｖln×α  
としていることで、Ｂμｃｏｍ５０内のＡ／Ｄ変換回路５０ａに適した電圧に増幅する。
【００７１】
いま、測光センサにて光が受光されると、照度に比例した光電流Ｉpdを流すフォトダイオード（この場合ＰＤ4 ）の光電流が、対数圧縮アンプ（この場合５１ａ4 ）にて電圧変換される。尚、図３では受光したフォトダイオードはＰＤ4 として示されているが、実際には受光したフォトダイオードの個数分、対数圧縮アンプで電圧変換されるのは勿論である。
【００７２】
光電流ＩpdとＡ／Ｄ値（出力電圧）との関係は、図４に示されるような感度切り替え特性が成立する。図４に示される横軸のＰＤ電流は対数である。
【００７３】
上記測光回路５１では、Ａ／Ｄ変換するフォトダイオードがスイッチＳＷ１，ＳＷ２，…によって切り替えられながら、各フォトダイオードＰＤ1 ，ＰＤ2 ，…の光出力がモニタされる。
【００７４】
このようにして、所定周期で被写界の全画面、例えば、図２（ａ）に示される４８画素についての受光量が測定される。これら４８画素分のＡ／Ｄデータが、画素受光量に対するデジタル値として、Ｂμｃｏｍ５０内の図示されないメモリに記憶される。
【００７５】
図５（ａ）は４８分割測光センサの例を示した図であり、図５（ｂ）〜（ｄ）は一定速度で移動する船にカメラが固定されて撮影が行われる例を説明する図、図５（ｅ）〜（ｇ）はカメラと被写体は固定して背景の船が動いている状況での撮影が行われる例を説明する図である。
【００７６】
図５（ｂ）に示されるように、カメラが移動する船７５に固定されていて、静止している被写体７６を撮影するシーンでは、図５（ｂ）から（ｃ）に示されるように、被写体７６は上記船の移動方向とは反対の図示矢印Ａ′方向に移動するように見える。したがって、カメラを一定速度で移動する船に固定して撮影した場合の輝度変化は、図５（ｄ）に示されるようになる。
【００７７】
ここで、所定時間内の、各画素のデジタル値の最大値（ＭＡＸ）と最小値（ＭＩＮ）の比較に於いて、デジタル値±１０％以上の輝度変化があった画素を取り出すと、図５（ｄ）に示されるようになる。
【００７８】
図５（ｂ）と（ｃ）に示される被写体７６の像を重ね合わせると、図５（ｄ）に示されるように２つの被写体像がずれて示される。つまり、図５（ｄ）にて被写体の存在する画素が、上述したデジタル値±１０％以上の輝度変化が起きている箇所である。言い換えれば、図５（ｂ）から（ｃ）までの所定時間に輝度が変化していない画素は、図５（ｄ）に於いて、斜線で示される画素であるものとする。この場合、輝度変化した画素は、１、２、４、５、６、７、８、１１、１２、１３、１４、１５、１９、２０、２１、２２、３３、３４、３５、３６、３７、３８、３９、４０の２２画素であり、全体の約４６％の画素が輝度変化している。
【００７９】
また、図５（ｅ）及び（ｆ）に示されるように、カメラ７０及び被写体７６が固定され、背景の船７５が図示矢印Ａ方向に移動している撮影シーンでは、同様に輝度変化した画素は、３、４、５、６、７、８、９、１０、１１、１２、１３、１４、１５、１６、１７、２５、２６、３３、３４の１９画素である。したがって、全体の約４０％が輝度変化している。尚、図５（ｇ）に於いても、斜線で示される画素が輝度変化していない画素を表しているものとする。
【００８０】
ここで、全画面の４５％以上で輝度変化があった場合は、カメラは固定されているとみなされないとすると、図５（ｂ）〜（ｄ）の状況では、輝度変化は約４６％であるから短いシャッタ秒時で撮影が行われる。このようにして、カメラが固定されている場合でも、自動で夜景モードに変わらない制御を行うことができる。
【００８１】
一方、図５（ｅ）〜（ｇ）の状況では、輝度変化は約４０％であるからカメラは固定であるとみなされ、長いシャッタ秒時、すなわち自動的に夜景モードに切り替えられる制御が行われる。
【００８２】
また、カメラが固定されており、建築物のような動かないものを撮影する場合は、全画面の４５％以上は輝度変化がないと思われるので夜景モードにする。
【００８３】
更に、夜景以外でも遠方まできれいに写すことを優先させたカメラの場合は、カメラが固定されていると判定された場合には、レンズ絞り値を大きくすることで被写界深度を深くして、その分、撮像面に光が届かないのでシャッタ秒時を長くするという動作を自動的に行うことができる。
【００８４】
次に、図６のフローチャートを参照して、本実施形態に於けるカメラの制御動作について説明する。
【００８５】
先ず、ステップＳ１にて、カメラ操作スイッチ５９内の図示されない電源スイッチがオンされると、続くステップＳ２に於いて、Ｂμｃｏｍ５０内の図示されないメモリの格納エリアＣｏｕｎｔ１及びＣｏｕｎｔ２に、それぞれ「０」がセット（クリア）される。そして、ステップＳ３にて、Ｂμｃｏｍ５０内の図示されないタイマによるカウントが開始される。
【００８６】
次いで、ステップＳ４にて、上記メモリ内の格納エリアＣｏｕｎｔ１に「１」が加算される。この場合、例えば上限値が「１０００」であるとし、Ｃｏｕｎｔ１が「１０００」になったら１秒とカウントされるものとする。
【００８７】
そして、ステップＳ５に於いて、４８分割測光センサによる測光が行われる。ステップＳ６では、上記ステップＳ５の測光により得られた各画素の最大値及び最小値が、上記メモリ内の格納エリアＭ０へ格納される。最初の撮影の場合は、上記ステップＳ５で測光された値がそのまま、メモリＭ０に格納される。
【００８８】
次に、ステップＳ７に於いて、上記４８画素の各画素のデジタル値の最大値と最小値が比較されて、その結果、デジタル値±１０％以上の輝度変化があった画素が、全体の４５％以上あったか否かが判定される。ここで、４５％以上合った場合はステップＳ８へ移行し、４５％未満であればステップＳ８をスキップしてステップＳ９へ移行する。
【００８９】
ステップＳ８では、上記ステップＳ３にてカウント開始されたタイマがクリアされ、またメモリＭ０の格納エリアもクリアされる。但し、最初の撮影時は、最大値と最小値は同じ値となるので、ステップＳ８はスキップされる。
【００９０】
ステップＳ９では、カメラ操作スイッチ５９内の図示されないレリーズスイッチの状態が判定される。ここで、上記レリーズスイッチが押された場合は、ステップＳ１０へ移行して、所定の撮影シーケンスが実行される。一方、上記ステップＳ９にてレリーズスイッチが押されなければ、ステップＳ１０をスキップしてステップＳ１１へ移行する。
【００９１】
ステップＳ１１では、上記ステップＳ３で開始されたタイマカウントが１秒以上経過したか否かが判定される。このタイマカウントは、上記格納エリアＣｏｕｎｔ１に格納されている値が判定される。ここで、カウントが１秒未満であればステップＳ１２へ移行して、夜景モードが解除される。一方、タイマカウントが１秒以上経過したと判定されたならば、ステップＳ１３へ移行して夜景モードが設定される。
【００９２】
その後、上記ステップＳ４へ移行して以降の処理が繰り返される。
【００９３】
こうした処理が繰り返されるので、タイマカウントが１秒未満で、ステップＳ７に於いて、４５％以上の画素で輝度変化があったと判定された場合は、ステップＳ８にてタイマカウントがクリアされる。したがって、この場合は、ステップＳ１１にてタイマカウントが１秒以上にはならないので、ステップＳ１２へ移行して夜景モードは解除される。
【００９４】
一方、タイマカウントが１秒以上となった後、ステップＳ７に於いて、上記４８画素の各画素の最大値と最小値が比較された結果、輝度変化があった画素が４５％未満である場合は、タイマカウントがクリアされない。したがって、ステップＳ１１にてタイマカウントが１秒以上経過しているので、ステップＳ１３にて夜景モードが設定される。
【００９５】
このように、第１の実施形態によれば、各画素の最大値と最小値の比較結果、輝度変化があった画素が全体の所定の割合以上であるか否かを判定することにより、夜景モードの切り替え制御を行うと共に手振れを軽減させることができる。
【００９６】
（第２の実施形態）
次に、本発明の第２の実施形態について説明する。
【００９７】
上述した第１の実施形態では、４８分割の多分割測光センサを用いて夜景モードの切り替えを行うようにしていたが、以下に述べる第２の実施形態では、これに角速度センサを用いて、両方の判定により夜景モードに切り替えるようにしている。
【００９８】
図７は、本発明の第２の実施形態に係るデジタル一眼レフカメラの電気系のシステム構成を示すブロック図である。
【００９９】
尚、この第２の実施形態に於けるカメラの構成及び動作は、手振れ検出手段としての角速度検出回路が追加された構成となっている他は、基本的に図１乃至図６に示された第１の実施形態と同様であり、同一の部分には同一の参照番号を付してその図示及び説明は省略し、異なる部分についてのみ説明する。
【０１００】
図７に於いて、カメラの手振れを検出するための手段である角速度検出回路５５が、Ｂμｃｏｍ５０に接続されている。この角速度検出回路５５は、図８に示されるように、ボディユニット１０内に搭載されているもので、カメラのＸ軸、Ｙ軸及びＺ軸周りのブレを検出するための角速度センサを有した回路で構成されている。
【０１０１】
次に、図９を参照して、手振れ検出手段である角速度センサの出力について説明する。尚、ここでは１つの軸についてのセンサ出力を例として説明するが、実際には図８に示されるｘ、ｙ、ｚの３軸それぞれについて行われるものである。
【０１０２】
図９（ａ）に示されるように、角速度センサ出力が、所定時間、所定範囲内にあるか否かによって、カメラが固定された状態であるか否かが判定される。すなわち、曲線ａのように出力所定範囲（手振れ判定範囲）内に収まらないものは、図９（ｂ）に示されるように、カメラ７０は撮影者７１の手により保持されていると判定される。一方、図９（ａ）に於いて、曲線ｂのように、角速度センサ出力の変化が、所定時間、所定範囲内であった場合は、図９（ｃ）に示されるように、カメラ７０は三脚７２等により固定された状態であると判定される。
【０１０３】
但し、この判定方法は、カメラそのもののブレを検出するため、固定している三脚７２自体が動くと、カメラ７０は固定されていないと判定される。これは、例えば、図９（ｄ）に曲線ｃで示されるように、角速度センサ出力は、ある所定時間では出力所定範囲内にあるが、別の所定時間内で出力所定範囲を超えてしまうような場合である。
【０１０４】
この判定方法は、ブレに影響する微小な揺れに対応できる一方で、被写体が動いてしまう場合、及びカメラが一定の方向に加速せずに動く場合は、角速度センサによるブレ検出ができないものである。したがって、これを補うために、本発明では更に多分割センサ出力によりカメラ固定判定を行うようにしている。
【０１０５】
ここで、角速度センサを使用して手振れを検出する際、カメラが固定されていてもシャッタが長秒時である夜景モードで撮影すると問題が生じるシーンの例について、図１０を参照して説明する。
【０１０６】
例えば、図１０（ａ）に示されるように、カメラ７０が図示矢印Ａ方向に移動する船７５に固定されていて、静止している被写体７６を撮影するシーンである。この場合は、カメラ７０及び被写体７６は共に固定状態であるものの、カメラ７０が一定速度で移動する船に固定されている。したがって、カメラ７０自体は動かないので角速度は検出されない。ところが、この状態でシャッタが長秒時の夜景モードで撮影すると、相対的に被写体７６が動いていることになるため、ブレが生じた写真となってしまう。
【０１０７】
また、図１０（ｂ）に示される例は、カメラ７０及び被写体７６は共に固定（静止）状態であるが、被写体の後方の背景である船７５自体が大きく移動しているシーンである。この場合は、カメラ７０及び被写体７６は固定であるが、背景の大部分を占める船７５が動いているため背景がぼけてしまい、やはり自動で無制限に長秒時にすることは望ましくない。
【０１０８】
そこで、上述した第１の実施形態で実施した多分割測光センサの輝度変化と、角速度センサの出力を用いて、両方の判定に基づいて夜景モードを切り換えるようにする。
【０１０９】
上述した所定時間内の、各画素のデジタル値の最大値（ＭＡＸ）と最小値（ＭＩＮ）の比較に於いて、デジタル値±１０％以上輝度変化があった画素を取り出すと、図１０に示されたシーンが、上述した第１の実施形態で説明した図５に示されるシーンのようになる。
【０１１０】
また、カメラが固定されていない場合に於いて、例えば、図１１（ａ）に示されるようにカメラ７０がＺ軸周りにブレが生じたとする。このときのブレが、図１１（ｂ）に示されるように、測光センサ１画素程度である場合は、測光センサではブレを認識することができない。そこで、角速度センサを併用することにより、カメラ固定の判定を確実に行うことができる。
【０１１１】
図１２は、本発明の第２の実施形態に於けるカメラの動作について説明するフローチャートである。
【０１１２】
尚、図１２のフローチャートに於いて、ステップＳ２１〜Ｓ３２の処理動作は、上述した第１の実施形態に於ける図６のフローチャートのステップＳ１〜Ｓ１２の処理動作と同じであるので、ここでは説明を省略する。
【０１１３】
ステップＳ３１に於いて、タイマカウントが１秒以上であった場合は、ステップＳ３３に於いて角速度センサの出力が判定される。ここでは、角速度センサ出力が所定値、例えば、図１１（ｂ）に示されるように、１画素程度のブレに相当する出力値と比較される。その結果、角速度センサ出力が所定値以上であった場合は、手振れが生じていると判定されて、ステップＳ３４へ移行し、夜景モードが解除される。一方、上記ステップＳ３３にて角速度センサ出力が所定値未満であった場合は、ステップＳ３５へ移行して夜景モードが設定される。
【０１１４】
その後、上記ステップＳ２４へ移行して以降の処理が繰り返される。
【０１１５】
このように、第２の実施形態によれば、測光センサでは認識することができない小さなブレを、角速度センサを用いて検出するようにしたので、カメラ固定の判定を更に確実に行うことができる。
【０１１６】
（第３の実施形態）
次に、本発明の第３の実施形態を説明する。
【０１１７】
この第３の実施形態では、上述した第２の実施形態に加えて、被写体と背景を判定するオートフォーカス機能を取り入れた例について述べる。
【０１１８】
図１３（ａ）に示されるように、画面７８内に複数（この場合３つ）の測距点８０ａ、８０ｂ、８０ｃを有するオートフォーカスを持ち、各測距点の中で合焦している点の周囲測光センサのみに於いて、輝度によるカメラ固定判定が行われるようにしている。
【０１１９】
例えば、図１３（ｂ）に示されるように、測距点８０ａの部分に被写体７６が存在しているとする。すると、この測距点８０ａを中心として枠８１で囲まれた１６画素（この場合４×４）が被写体と判定され、他のエリアは背景と認識される。
【０１２０】
また、図１３（ｃ）に示されるように、画面７８内に複数（この場合２つ）の被写体７６と被写体７７が存在している場合は、例えば、最も近距離の測距点に存在する被写体に対して合焦するものとする。この場合、測距点８０ａと８０ｃの周囲の枠８１と枠８２内の画素が被写体の候補となるが、上述したように最も近距離の測距点である８０ａの枠８１内の画素が被写体と判定される。そして、他のエリアは全て背景と認識される。
【０１２１】
このように、被写体と背景を判定する機能を有するカメラに於いては、カメラ固定の判定は、図１４に示されるようにしてなされる。
【０１２２】
図１４（ａ）は４８分割測光センサの例を示した図であり、図１４（ｂ）〜（ｄ）はカメラは固定で被写体が動いている状況での撮影が行われる例を説明する図、図１４（ｅ）〜（ｇ）はカメラと被写体は固定して背景の船が動いている状況での撮影が行われる例を説明する図である。
【０１２３】
いま、図１４（ａ）に示されるように、ＡＦセンサユニットにより、１９、２０、２１、２２、２７、２８、２９、３０、３５、３６、３７、３８の画素が被写体、その他が背景と認識されたとする。
【０１２４】
図１４（ｂ）〜（ｄ）は、被写体が図示矢印Ｃ方向に動いていると判定されるケース、図１４（ｅ）〜（ｇ）は、背景が図示矢印Ａ方向に動いていると判定されるケースである。
【０１２５】
フラッシュが発光される場合、被写体が動いており、且つ背景は動いていないと判定されると、カメラが固定されていると判定されて長秒時露光される。フラッシュには、ブレを止める効果があり、フラッシュ光の届く範囲に存在する被写体は、発光された瞬間の画像が記録されてブレが目立たない。そのため、背景が動いていなければカメラが固定されていると判定されて、長秒時でシャッタ制御されても問題はない。
【０１２６】
一方、フラッシュが発光されない場合は、逆に、被写体だけでも適正露出にして背景はブレても良いと考えることもできる。その場合、被写体に輝度変化が無ければカメラは固定されていると判定されて、シャッタ秒時が遅く制御される。
【０１２７】
これらのことから、第３の実施形態に於けるカメラの制御動作について、図１５のフローチャートを参照して説明する。
【０１２８】
尚、図１５のフローチャートに於いて、ステップＳ４７〜Ｓ５９の処理動作は、上述した第２の実施形態に於ける図１２のフローチャートのステップＳ２３〜Ｓ３５の処理動作と同じであるので、ここでは説明を省略する。
【０１２９】
先ず、ステップＳ４１にて、カメラ操作スイッチ５９内の図示されない電源スイッチがオンされると、続くステップＳ４２にて、Ｂμｃｏｍ５０内の図示されないメモリの格納エリアＣｏｕｎｔ１及びＣｏｕｎｔ２に、それぞれ「０」がセット（クリア）される。
【０１３０】
次いで、ステップＳ４３にて、被写体、背景画素判定の処理が行われる。これは、上述したように、例えば最至近の測距点に存在する画素が被写体とされ、それ以外を背景とするような判定の処理である。こうして。被写体、背景画素が決定されたならば、続くステップＳ４４に於いて、フラッシュ発光の有無が判定される。
【０１３１】
ここで、フラッシュ発光が行われない場合は、ステップＳ４５へ移行して、ブレ判定画素が被写体に設定される。すなわち、背景がぶれても被写体のブレが生じないように該被写体が適正露出になるように設定される。一方、上記ステップＳ４４にてフラッシュ発光が行われる場合は、ステップＳ４６へ移行して、ブレ判定画素が背景に設定される。すなわち、被写体が動いても背景が固定された状態であるので、ブレ判定には影響がない。
【０１３２】
尚、ステップＳ４４に於けるフラッシュ発光の有無は、撮影者が手動により設定するようにしてもよく、或いはカメラ側で設定できるようにしてもよい。
【０１３３】
その後、ステップＳ４７にて、Ｂμｃｏｍ５０内の図示されないタイマによるカウントが開始される。ステップＳ４８〜Ｓ５９は、図１２のフローチャートのステップＳ２４〜Ｓ３５と同じである。
【０１３４】
このように、第３の実施形態によれば、オートフォーカス機能を利用しても、カメラ固定の判定を確実に行うことができる。
【０１３５】
また、この第３の実施形態の変形例として、被写体、背景を区別する方法として、撮影に先立ってフラッシュを投光して、その反射光が全画素平均より多く受光された画素が被写体として設定されるようにしてもよい。
【０１３６】
図１６は、この第３の実施形態の変形例を説明するもので、（ａ）は４８分割測光センサの例を示した図、（ｂ）はこの変形例による撮影シーンの例を示した図である。
【０１３７】
図１６（ｂ）に示されるシーンの状況でフラッシュ発光が行われると、図１６（ａ）に示される２８、２９、３６、３７、４４、４５の画素が多くの反射光を受光し、遠方に存在する船からのフラッシュ光の反射光はあまり返ってこない。そのため、上記６画素が被写体として検出される。
【０１３８】
以上、本発明の実施形態について説明したが、本発明は上述した実施形態以外にも、本発明の要旨を逸脱しない範囲で種々の変形実施が可能である。
【図面の簡単な説明】
【０１３９】
【図１】本発明の第１の実施形態に係るデジタル一眼レフカメラの電気系のシステム構成を示すブロック図である。
【図２】多分割ＡＥセンサと被写界との関係を示すもので、（ａ）は４８分割測光センサの例を示した図、（ｂ）は（ａ）の測光センサに対応させた被写界の画像の例を示した図である。
【図３】測光回路５１内の測光センサの構成を示す回路図である。
【図４】光電流ＩpdとＡ／Ｄ値（出力電圧）との関係を示した感度切り替えの特性図である。
【図５】（ａ）は４８分割測光センサの例を示した図であり、図５（ｂ）〜（ｄ）は一定速度で移動する船にカメラが固定されて撮影が行われる例を説明する図、図５（ｅ）〜（ｇ）はカメラと被写体は固定して背景の船が動いている状況での撮影が行われる例を説明する図である。
【図６】第１の実施形態に於けるカメラの制御動作について説明するフローチャートである。
【図７】本発明の第２の実施形態に係るデジタル一眼レフカメラの電気系のシステム構成を示すブロック図である。
【図８】カメラのＸ軸、Ｙ軸及びＺ軸と角速度センサを説明するための図である。
【図９】角速度検出センサの出力について説明する図である。
【図１０】角速度センサを使用して手振れを検出する際、カメラが固定されていてもシャッタが長秒時である夜景モードで撮影すると問題が生じるシーンの例について説明する図である。
【図１１】測光センサと角速度センサを併用してブレを軽減するための説明図である。
【図１２】本発明の第２の実施形態に於けるカメラの動作について説明するフローチャートである。
【図１３】本発明の第３の実施形態に係るカメラの被写体と背景を判定するオートフォーカス機能を取り入れた例について説明する図である。
【図１４】（ａ）は４８分割測光センサの例を示した図であり、図１４（ｂ）〜（ｄ）はカメラは固定で被写体が動いている状況での撮影が行われる例を説明する図、図１４（ｅ）〜（ｇ）はカメラと被写体は固定して背景の船が動いている状況での撮影が行われる例を説明する図である。
【図１５】本発明の第３の実施形態に於けるカメラの動作について説明するフローチャートである。
【図１６】第３の実施形態の変形例を説明するもので、（ａ）は４８分割測光センサの例を示した図、（ｂ）はこの変形例による撮影シーンの例を示した図である。
【符号の説明】
【０１４０】
１０…ボディユニット、１１…レンズユニット、１２…記録メディア、１３…フラッシュユニット、２１ａ、２１ｂ…撮影レンズ、２２…絞り、…レンズ駆動機構、２４…絞り駆動機構、２５…レンズ制御用マイクロコンピュータ（Ｌμｃｏｍ）、３０…クイックリターンミラー、３１…フォーカシングスクリーン、３２…ペンタプリズム、３３…接眼レンズ、３５…サブミラー、４０…撮像モジュール、４１…シャッタユニット、４２…撮像ユニット、４３…撮像素子（ＣＣＤ）、４５…撮像素子インターフェイス回路、４６…画像処理コントローラ、４７…ＳＤＲＡＭ、４８…液晶モニタ、５０…ボディ制御用マイクロコンピュータ（Ｂμｃｏｍ）、５０ａ…Ａ／Ｄ変換回路、５１…測光回路、５１ａ1 ，５１ａ2 ，……対数圧縮アンプ、５１ｂ…電圧増幅回路、５２…ミラー駆動機構、５３…ＡＦセンサ駆動回路、５４…シャッタ駆動制御回路、５５…角速度検出回路、５７…不揮発性メモリ（ＥＥＰＲＯＭ）、５８…動作表示用ＬＣＤ、５９…カメラ操作スイッチ（ＳＷ）、６０…電源回路、６１…電池。
【図１】
2006126479.tif 000003
【図２】
2006126479.tif 000004
【図３】
2006126479.tif 000005
【図４】
2006126479.tif 000006
【図５】
2006126479.tif 000007
【図６】
2006126479.tif 000008
【図７】
2006126479.tif 000009
【図８】
2006126479.tif 000010
【図９】
2006126479.tif 000011
【図１０】
2006126479.tif 000012
【図１１】
2006126479.tif 000013
【図１２】
2006126479.tif 000014
【図１３】
2006126479.tif 000015
【図１４】
2006126479.tif 000016
【図１５】
2006126479.tif 000017
【図１６】
2006126479.tif 000018